(57)【要約】【課題】一例としては、遮断する際に印加する押力に対する反力が増大するのを抑制可能なクラッチカバー組立体を得る。【解決手段】実施形態では、一例として、ダイヤフラムスプリング３の軸方向の一方側に位置されるリング部材５（第二の支持部）は、ダイヤフラムスプリング３の軸方向の他方側に位置されるリング部材４（第一の支持部）の軸方向の一方側かつ径方向の外側に位置された。よって、実施形態によれば、一例としては、レバー部３２が軸方向の他方側から一方側へ押されて変位したダイヤフラムスプリング３がリング部材４，５の間により強く挟まれる状態となるのが抑制されやすい。【選択図】図２
2014163507.tif 000002
【特許請求の範囲】
【請求項１】
回転軸の周方向に沿った環状に構成された第一の支持部と、
前記第一の支持部より前記回転軸の軸方向の一方側かつ前記回転軸の径方向の外側に位置され、前記回転軸の周方向に沿った環状に構成された第二の支持部と、
前記第一の支持部および前記第二の支持部を支持するカバー部材と、
前記カバー部材で少なくとも一部が覆われ前記周方向に沿った環状に構成されたベース部と、当該ベース部から前記径方向の内側に向けて突出し前記第一の支持部と前記第二の支持部との間に位置され前記第一の支持部および前記第二の支持部のうち少なくとも一方に接触した状態で前記第一の支持部および前記第二の支持部のうち少なくとも前記一方に支持されるレバー部と、を有し、当該レバー部が前記軸方向の他方側に位置されるとともに前記ベース部が前記軸方向の一方側に位置されて前記カバー部材を含む回転要素と他の回転要素とが接続された接続状態と前記レバー部が前記軸方向の一方側に位置されるとともに前記ベース部が前記軸方向の他方側に位置されて前記カバー部材を含む回転要素と前記他の回転要素との間が遮断された遮断状態とを切り替えるダイヤフラムスプリングと、
を備えた、クラッチカバー組立体。
【請求項２】
前記第一の支持部の前記周方向と垂直な断面の形状と、前記第二の支持部の前記周方向と垂直な断面の形状と、が互いに異なる、請求項１に記載のクラッチカバー組立体。
【請求項３】
前記第一の支持部の前記周方向と垂直な断面での前記ダイヤフラムスプリングと接触する部分の曲率半径が、前記第二の支持部の前記周方向と垂直な断面での前記ダイヤフラムスプリングと接触する部分の曲率半径より小さい、請求項１または２に記載のクラッチカバー組立体。
【請求項４】
前記第一の支持部および前記第二の支持部のうち少なくとも一方は、リング部材である、請求項１〜３のうちいずれか一つに記載のクラッチカバー組立体。
【請求項５】
前記カバー部材は、前記リング部材を支持する第三の支持部を有した、請求項４に記載のクラッチカバー組立体。
【請求項６】
前記第二の支持部の周長が前記第一の支持部の周長より長い、請求項４または５に記載のクラッチカバー組立体。
【請求項７】
前記第一の支持部および前記第二の支持部のうち少なくとも一方は、前記カバー部材に設けられた突起である、請求項１〜３のうちいずれか一つに記載のクラッチカバー組立体。
【請求項８】
回転軸の周方向に沿った環状に構成された第一の支持部と、
前記第一の支持部より前記回転軸の軸方向の一方側に位置され、前記回転軸の周方向に沿った環状に構成された第二の支持部と、
前記第一の支持部および前記第二の支持部を支持するカバー部材と、
前記カバー部材で少なくとも一部が覆われ前記周方向に沿った環状に構成されたベース部と、当該ベース部から前記径方向の内側に向けて突出し前記第一の支持部と前記第二の支持部との間に位置され前記第一の支持部および前記第二の支持部のうち少なくとも一方に接触した状態で前記第一の支持部および前記第二の支持部のうち少なくとも前記一方に支持されるレバー部と、を有し、当該レバー部が前記軸方向の他方側に位置されるとともに前記ベース部が前記軸方向の一方側に位置されて前記カバー部材を含む回転要素と他の回転要素とが接続された接続状態と前記レバー部が前記軸方向の一方側に位置されるとともに前記ベース部が前記軸方向の他方側に位置されて前記カバー部材を含む回転要素と前記他の回転要素との間が遮断された遮断状態とを切り替えるダイヤフラムスプリングと、
を備え、
前記第二の支持部と前記ダイヤフラムスプリングとの接触位置は、前記第一の支持部と前記ダイヤフラムスプリングとの接触位置よりも前記径方向の外側に位置された、クラッチカバー組立体。
【発明の詳細な説明】
【技術分野】
【０００１】
本発明の実施形態は、クラッチカバー組立体に関する。
【背景技術】
【０００２】
従来、カバーに支持された二つのリング部材の間にダイヤフラムスプリングが支持されたクラッチカバー組立体が知られている（例えば、特許文献１）。この特許文献１に記載のクラッチカバー組立体では、二つのリング部材の回転軸からの距離（二つのリング部材の直径（半径））は同じである。
【先行技術文献】
【特許文献】
【０００３】
【特許文献１】特開２００６−１３８４２８号公報
【発明の概要】
【発明が解決しようとする課題】
【０００４】
しかしながら、上記従来のクラッチカバー組立体では、一例として、クラッチペダルの踏み込み時等にダイヤフラムスプリングが押されて変位すると、当該ダイヤフラムスプリングが二つのリング部材の間により強く挟まれた状態となり、一例としては、押力に対する反力が増大する場合があった。
【課題を解決するための手段】
【０００５】
本発明の実施形態にかかるクラッチカバー組立体は、一例として、回転軸の周方向に沿った環状に構成された第一の支持部と、上記第一の支持部より上記回転軸の軸方向の一方側かつ上記回転軸の径方向の外側に位置され、上記回転軸の周方向に沿った環状に構成された第二の支持部と、上記第一の支持部および上記第二の支持部を支持するカバー部材と、上記カバー部材で少なくとも一部が覆われ上記周方向に沿った環状に構成されたベース部と、当該ベース部から上記径方向の内側に向けて突出し上記第一の支持部と上記第二の支持部との間に位置され上記第一の支持部および上記第二の支持部のうち少なくとも一方に接触した状態で上記第一の支持部および上記第二の支持部のうち少なくとも上記一方に支持されるレバー部と、を有し、当該レバー部が上記軸方向の他方側に位置されるとともに上記ベース部が上記軸方向の一方側に位置されて上記カバー部材を含む回転要素と他の回転要素とが接続された接続状態と上記レバー部が上記軸方向の一方側に位置されるとともに上記ベース部が上記軸方向の他方側に位置されて上記カバー部材を含む回転要素と上記他の回転要素との間が遮断された遮断状態とを切り替えるダイヤフラムスプリングと、を備える。すなわち、本実施形態によれば、一例としては、第二の支持部が第一の支持部より回転軸の軸方向の一方側かつ径方向の外側に位置されているため、レバー部が軸方向の他方側から一方側へ押されて変位したダイヤフラムスプリングが第一の支持部と第二の支持部との間により強く挟まれる状態となるのが抑制されやすい。
【０００６】
上記クラッチカバー組立体では、一例として、上記第一の支持部の上記周方向と垂直な断面の形状と、上記第二の支持部の上記周方向と垂直な断面の形状と、が互いに異なる。よって、一例としては、上記結果（効果）が得られるクラッチカバー組立体が、第一の支持部の上記断面形状と第二の支持部の上記断面形状とが互いに異なるという比較的簡素な構成によって具現化されうる。
【０００７】
上記クラッチカバー組立体では、一例として、上記第一の支持部の上記周方向と垂直な断面での上記ダイヤフラムスプリングと接触する部分の曲率半径が、上記第二の支持部の上記周方向と垂直な断面での上記ダイヤフラムスプリングと接触する部分の曲率半径より小さい。よって、一例としては、上記結果（効果）が得られるクラッチカバー組立体が第一の支持部の上記曲率半径と第二の支持部の上記曲率半径とが互いに異なるという比較的簡素な構成によって具現化されうる。
【０００８】
上記クラッチカバー組立体では、一例として、上記第一の支持部および上記第二の支持部のうち少なくとも一方は、リング部材である。よって、一例としては、上記結果（効果）が得られるクラッチカバー組立体が上記リング部材を含む比較的簡素な構成によって具現化されうる。
【０００９】
上記クラッチカバー組立体では、一例として、上記カバー部材は、上記リング部材を支持する第三の支持部を有する。よって、一例としては、上記リング部材のずれが抑制されやすい。
【００１０】
上記クラッチカバー組立体では、一例として、上記第二の支持部の周長が上記第一の支持部の周長より長い。よって、一例としては、上記結果（効果）が得られるクラッチカバー組立体が上記周長の異なるリング部材を含む比較的簡素な構成によって具現化されうる。
【００１１】
上記クラッチカバー組立体では、一例として、上記第一の支持部および上記第二の支持部のうち少なくとも一方は、上記カバー部材に設けられた突起である。よって、一例としては、上記結果（効果）が得られるクラッチカバー組立体が上記突起を含む比較的簡素な構成によって具現化されうる。
【００１２】
本発明の実施形態にかかるクラッチカバー組立体は、一例として、回転軸の周方向に沿った環状に構成された第一の支持部と、上記第一の支持部より上記回転軸の軸方向の一方側に位置され、上記回転軸の周方向に沿った環状に構成された第二の支持部と、上記第一の支持部および上記第二の支持部を支持するカバー部材と、上記カバー部材で少なくとも一部が覆われ上記周方向に沿った環状に構成されたベース部と、当該ベース部から上記径方向の内側に向けて突出し上記第一の支持部と上記第二の支持部との間に位置され上記第一の支持部および上記第二の支持部のうち少なくとも一方に接触した状態で上記第一の支持部および上記第二の支持部のうち少なくとも上記一方に支持されるレバー部と、を有し、当該レバー部が上記軸方向の他方側に位置されるとともに上記ベース部が上記軸方向の一方側に位置されて上記カバー部材を含む回転要素と他の回転要素とが接続された接続状態と上記レバー部が上記軸方向の一方側に位置されるとともに上記ベース部が上記軸方向の他方側に位置されて上記カバー部材を含む回転要素と上記他の回転要素との間が遮断された遮断状態とを切り替えるダイヤフラムスプリングと、を備え、上記第二の支持部と上記ダイヤフラムスプリングとの接触位置は、上記第一の支持部と上記ダイヤフラムスプリングとの接触位置よりも上記径方向の外側に位置される。すなわち、本実施形態によれば、一例としては、第二の支持部とダイヤフラムスプリングとの接触位置が、第一の支持部とダイヤフラムスプリングとの接触位置よりも径方向の外側に位置されているため、レバー部が軸方向の他方側から一方側へ押されて変位したダイヤフラムスプリングが第一の支持部と第二の支持部との間により強く挟まれる状態となるのが抑制されやすい。
【図面の簡単な説明】
【００１３】
【図１】図１は、実施形態にかかるクラッチカバー組立体の一例の断面図である。
【図２】図２は、実施形態にかかるクラッチカバー組立体の一例の一部の断面図であって、接続状態での図である。
【図３】図３は、実施形態にかかるクラッチカバー組立体の一例の一部の断面図であって、接続状態と遮断状態との間の状態での図である。
【図４】図４は、実施形態にかかるクラッチカバー組立体の一例の一部の断面図であって、遮断状態での図である。
【図５】図５は、第１変形例にかかるクラッチカバー組立体の一例の一部の断面図である。
【図６】図６は、第２変形例にかかるクラッチカバー組立体の一例の一部の断面図である。
【図７】図７は、第３変形例にかかるクラッチカバー組立体の一例の一部の断面図である。
【図８】図８は、第４変形例にかかるクラッチカバー組立体の一例の一部の断面図である。
【図９】図９は、第５変形例にかかるクラッチカバー組立体の一例の一部の断面図である。
【図１０】図１０は、第６変形例にかかるクラッチカバー組立体の一例の一部の断面図である。
【発明を実施するための形態】
【００１４】
以下の実施形態および変形例には、同様の構成が含まれている。それら同様の構成には共通の符号が付されるとともに、重複する説明が省略される。
【００１５】
＜実施形態＞
本実施形態にかかるクラッチカバー組立体１を含むクラッチ１００（乾式単板クラッチ）は、一例としては、エンジン（動力装置、図示されず）とトランスミッション（変速装置、図示されず）との間に位置され、エンジンからトランスミッションへの駆動力（回転）の伝達状態を変化させる。本実施形態にかかるクラッチカバー組立体１を含むクラッチ１００は、エンジンとトランスミッションとの間に限らず、他の回転要素間（例えば、エンジンとモータとの間）に設けることが可能であるし、自動マニュアルトランスミッション（ＡＭＴ : automated manual transmission）装置に適用することも可能である。
【００１６】
クラッチカバー組立体１は、本実施形態では、一例として、結合具１１（本実施形態では、一例としてねじ）によってエンジン後段のフライホイール１０に取り付けられている。そして、クラッチカバー組立体１は、プレッシャプレート６や、クラッチディスク７（摩擦材８、プレート９）等を覆っている。
【００１７】
クラッチカバー組立体１の中心軸Ａｘ（回転軸）は、クラッチカバー組立体１に含まれる回転体や回転形状（例えば、カバー２、ダイヤフラムスプリング３、リング部材４，５等の部品や、開口部２２ｃ等）の中心軸である。図１〜４には、回転体や回転形状の中心軸Ａｘを通る一つの面での断面図が示されている。また、中心軸Ａｘは、クラッチカバー組立体１を貫通するシャフト（図示されず）の中心軸（回転中心）と略一致している。なお、以下の説明では、特に言及しない限り、軸方向は中心軸Ａｘの軸方向、径方向は中心軸Ａｘの径方向、周方向は中心軸Ａｘの周方向を示すものとする。また、以下の詳細な説明では、便宜上、軸方向のエンジン側（図１で右側）を軸方向の一方側とし、軸方向のトランスミッション側（図１で左側）を軸方向の他方側とする。また、各図中、軸方向の一方側を矢印Ｘで示し、径方向の外側を矢印Ｒで示す。
【００１８】
クラッチカバー組立体１は、本実施形態では、一例として、カバー２（カバー部材）と、ダイヤフラムスプリング３と、リング部材４，５と、を備えている。
【００１９】
カバー２は、本実施形態では、一例として、図１に示されるように、壁部２１，２２，２３，２４を有する。壁部２１（端壁、天壁、底壁、フランジ部、内向きフランジ部）は、円環状かつ板状に構成されている。壁部２１は、軸方向の他方側に面した面２１ａと、その反対側で軸方向の一方側に面した面２１ｂと、を有する。壁部２１の径方向の内側には壁部２２（周壁、内周壁、側壁、筒状部）が接続され、径方向の外側には壁部２３（周壁、外周壁、側壁、筒状部）が接続されている。すなわち、壁部２２は、壁部２１の内周部から筒状（円筒状）に軸方向に沿って突出し、壁部２３は、壁部２１の外周部から筒状（円筒状）に軸方向に沿って突出している。
【００２０】
壁部２２は、径方向の内側に面した面２２ａと、その反対側で径方向の外側に面した面２２ｂと、を有する。壁部２２の面２２ａは、開口部２２ｃを構成している。また、壁部２２の壁部２１と接続されている側とは反対側（軸方向の一方側、図１の右側）の端部からは、径方向の外側に向けて、壁部２４が張り出している。本実施形態では、一例として、複数の壁部２４（爪部、引掛部、フック部、片部）が、周方向に間欠的に、所定の間隔をあけて（例えば、一定のピッチで）設けられている。壁部２４は、ダイヤフラムスプリング３とリング部材４，５とが壁部２２の径方向の外側の所定位置に配置された後、折り曲げ加工（かしめ）等されることで構成されうる。
【００２１】
壁部２３は、径方向の外側に面した面２３ａと、その反対側で径方向の内側に面した面２３ｂと、を有する。壁部２３の壁部２１と接続されている側とは反対側には、径方向の外側に張り出したフランジ部２３ｃ（取付部、張出部、壁部）が設けられている。フランジ部２３ｃには、フライホイール１０との結合（接続、固定）に用いられる開口部２３ｄ（本実施形態では、一例として貫通孔）が設けられている。結合具１１は開口部２３ｄを貫通して、フライホイール１０に結合（固定）されている。なお、カバー２は、金属材料（例えば、鉄系材料等）で構成される。
【００２２】
ダイヤフラムスプリング３は、本実施形態では、一例として、全体としては円形状の板状に構成されている。ダイヤフラムスプリング３の壁部３ａは、軸方向の他方側を向いた面３ｂと、その反対側で軸方向の一方側を向いた面３ｃと、を有している。ダイヤフラムスプリング３の中央部には、円形状の開口部３ｄが設けられている。開口部３ｄからは、径方向に沿って放射状に延びた（切り込まれた、切り欠かれた）スリット（切欠、図示されず）が設けられている。
【００２３】
ダイヤフラムスプリング３には、本実施形態では、一例として、中心軸Ａｘ側の内周縁から外周縁まで到達しない長さの複数のスリットが、中心軸Ａｘ回りに略一定の角度毎に放射状に設けられている。スリットの径方向の外側の端部より径方向外側に位置された円環状かつ板状の部分が、ベース部３１（フランジ部）である。また、ベース部３１から径方向の内側に向けて突出し、二つのスリットに挟まれた細長い三角形状の領域が、レバー部３２である。ダイヤフラムスプリング３は、金属材料（例えば、鉄系材料等）で構成される。
【００２４】
リング部材４，５は、本実施形態では、一例として、断面が円形の金属材料の線材が円環状に屈曲されて構成される。リング部材４，５は、本実施形態では、一例として、それぞれ、長手方向の端部同士が溶接等されて結合され、無端のＯリングとして構成されている。なお、リング部材４，５は、ぞれぞれ、有端のＣリングとして構成されることもできる。リング部材４，５は、金属材料（例えば、鉄系材料等）で構成される。
【００２５】
リング部材４，５は、ダイヤフラムスプリング３を変位可能（移動可能、揺動可能、回動可能）に支持する。リング部材４は、ダイヤフラムスプリング３のレバー部３２の根元部分（ベース部３１とレバー部３２との接続部分）の軸方向の他方側（図１では左側）に位置されている。また、リング部材５は、ダイヤフラムスプリング３のレバー部３２の根元部分の軸方向の一方側（図１では右側）に位置されている。リング部材４は、ダイヤフラムスプリング３の面３ａに当接し、当該ダイヤフラムスプリング３から軸方向の他方側への荷重を受ける。そして、リング部材５は、ダイヤフラムスプリング３の面３ｂに当接し、当該ダイヤフラムスプリング３から軸方向の一方側への荷重を受ける。
【００２６】
本実施形態では、一例として、図１に示されるように、カバー２やフライホイール１０等を含むエンジン側の回転要素１２（以下では第一の回転要素１２と記す）と、プレート９（クラッチディスク７）を含むトランスミッション側のもう一つの回転要素１３（他の回転要素、以下では第二の回転要素１３と記す）とが、摩擦材８を介して接続可能に構成されている。図１には、第一の回転要素１２と第二の回転要素１３とが接続されている接続状態が示されている。この状態では、レバー部３２はレリーズベアリング（図示されず）によっては押されていない。また、ダイヤフラムスプリング３は、その弾性変形を伴って、プレッシャプレート６を軸方向の一方側（図１では右側）へ向けて押している。このダイヤフラムスプリング３からプレッシャプレート６に作用する押力（荷重）により、摩擦材８およびプレート９がプレッシャプレート６とフライホイール１０との間に挟まれて、第一の回転要素１２と第二の回転要素１３とが摩擦材８を介して接続される。すなわち、図１の接続状態では、第一の回転要素１２から第二の回転要素１３へ回転（駆動力、トルク）が伝達される。そして、この状態では、ダイヤフラムスプリング３のプレッシャプレート６への押力の反力（荷重）が、ダイヤフラムスプリング３からリング部材４に作用している。図１の接続状態では、ダイヤフラムスプリング３は、少なくともリング部材４と当接している。
【００２７】
一方、レリーズベアリング（図示されず）が軸方向の一方側（図１では右側）へ移動してレバー部３２を当該軸方向の一方側へ押すと、レバー部３２は図１の状態よりも軸方向の一方側へ変位（移動）するとともに、ベース部３１は図１の状態よりも軸方向の他方側へ変位（移動）する。これにより、摩擦材８およびプレート９がプレッシャプレート６とフライホイール１０との間に挟まれた状態が解除され、第一の回転要素１２と第二の回転要素１３との間が遮断されて回転ならびに駆動力（トルク）が伝達されない遮断状態となる。遮断状態では、ダイヤフラムスプリング３は、少なくともリング部材５と当接しており、リング部材４と当接することもできる。
【００２８】
図２〜４には、本実施形態のクラッチカバー組立体１のリング部材４，５を含む部分の拡大された断面図（模式図）が示されている。図２〜４は、図１と同様の位置での断面図であって、図１の一部が拡大された図である。なお、図２〜４は、周方向と垂直な断面での断面図でもある。図２には、接続状態、図４には、遮断状態、そして、図３には、図２の接続状態と図４の遮断状態との間でダイヤフラムスプリング３のリング部材４，５と当接する部分が中心軸Ａｘと垂直な姿勢となった状態の一例が、それぞれ示されている。また、本実施形態では、一例として、図２の状態では、ダイヤフラムスプリング３は、径方向の外側（図２〜４では上側）に向かうほど軸方向の一方側（図２〜４では右側）へ向けて延びており、図４の状態では、ダイヤフラムスプリング３は、径方向の外側に向かうほど軸方向の他方側（図２〜４では左側）へ向けて延びている。
【００２９】
図２〜４に示されるように、本実施形態では、一例として、リング部材５は、リング部材４よりも径方向の外側に位置されている。図２〜４の断面におけるリング部材４，５の中心Ｃ１，Ｃ２間の径方向のずれ量δは、例えば、０．１〜０．４ｍｍに設定されている。このような構成では、リング部材４，５の間の隙間は、図２〜４中に示された線Ｌ１（リング部材４，５の断面中心Ｃ１，Ｃ２を結ぶ直線）に沿う位置で最短となる。そして、仮に、カバー２やダイヤフラムスプリング３が一切の弾性変形を伴わないとすれば、幾何学的には、ダイヤフラムスプリング３が図２〜４中に示された線Ｌ１と直交する線Ｌ２に沿った状態（角度、姿勢）で、リング部材４またはリング部材５とダイヤフラムスプリング３との間の隙間（余裕代）が最大となる。そして、ダイヤフラムスプリング３が、線Ｌ２から離れて傾斜するほど（線Ｌ２とダイヤフラムスプリング３との間の角度が大きくなるほど）、リング部材４またはリング部材５とダイヤフラムスプリング３との間の隙間が小さくなる。すなわち、本実施形態によれば、一例としては、ダイヤフラムスプリング３が変位して（移動して、傾いて）図２の状態から図３の状態へ移行する際、すなわち、接続状態から遮断状態への移行開始当初においては、ダイヤフラムスプリング３と線Ｌ２との角度が小さくなるため、幾何学的には、リング部材４またはリング部材５とダイヤフラムスプリング３との間の隙間は僅かではあるが大きくなる（広くなる）。仮に、各部品のレイアウト上、図２の状態から図３の状態へ移行する際に、幾何学的に、リング部材４，５とダイヤフラムスプリング３との間の隙間が小さくなる（狭くなる）構成であったとすれば、図２の状態から図３の状態へ移行するにつれて、ダイヤフラムスプリング３は、リング部材４，５の間に、より強く挟まれる状態となり、ダイヤフラムスプリング３の変位（移動、傾き）に対する抗力が増大して、レリーズベアリング等のダイヤフラムスプリング３（レバー部３２）に対する押力の反力が大きくなる虞がある。この点、本実施形態によれば、一例としては、上述した構成により、少なくとも図２の状態から図３の状態へ移行する際に、ダイヤフラムスプリング３はリング部材４，５により弱く挟まれる、あるいはリング部材４またはリング部材５とダイヤフラムスプリング３との間の隙間がより大きくなるため、リング部材４，５間により強く挟まれることによってレリーズベアリング等のダイヤフラムスプリング３（レバー部３２）に対する押力の反力が大きくなるのを、抑制することができる。なお、本実施形態では、一例として、図３の状態から図４の状態へ移行する途中で、ダイヤフラムスプリング３と線Ｌ２との角度が最小になるとともに、図２に示される接続状態と図４に示される遮断状態との間の全区間で、リング部材４またはリング部材５とダイヤフラムスプリング３との間で適宜な隙間あるいは適宜な抗力が確保されやすくなり、ダイヤフラムスプリング３がリング部材４，５によって強く挟まれることによってダイヤフラムスプリング３の反力が増大するのが、抑制されやすくなる。なお、本実施形態にかかる構成は、換言すれば、リング部材５とダイヤフラムスプリング３との接触位置が���リング部材４とダイヤフラムスプリング３との接触位置よりも径方向の外側に位置された構成である。また、本実施形態では、一例として、無端のリング部材５の周長は、無端のリング部材４の周長よりも長い。よって、リング部材４，５の周長や直径から、本実施形態にかかる構成が適用されているか否かがわかる。
【００３０】
以上、説明したように、本実施形態では、一例として、ダイヤフラムスプリング３の軸方向の一方側に位置されるリング部材５（第二の支持部）は、ダイヤフラムスプリング３の軸方向の他方側に位置されるリング部材４（第一の支持部）の軸方向の一方側かつ径方向の外側に位置された。よって、本実施形態によれば、一例としては、レバー部３２が軸方向の他方側から一方側へ押されて変位したダイヤフラムスプリング３がリング部材４，５の間により強く挟まれる状態となるのが抑制されやすい。
【００３１】
また、本実施形態では、一例として、第一の支持部および第二の支持部として、リング部材４，５が用いられている。よって、本実施形態によれば、一例としては、変位したダイヤフラムスプリング３が第一の支持部と第二の支持部との間により強く挟まれる状態となるのを抑制可能な構成が、リング部材４，５を含む比較的簡素な構成によって具現化されうる。
【００３２】
また、本実施形態によれば、一例としては、無端のリング部材５の周長は、無端のリング部材４の周長よりも長い。よって、本実施形態によれば、一例としては、変位したダイヤフラムスプリング３が第一の支持部と第二の支持部との間により強く挟まれる状態となるのを抑制可能な構成が、周長の異なるリング部材４，５を含む比較的簡素な構成によって具現化されうる。
【００３３】
＜第１変形例＞
図５に示される第１変形例は、上記実施形態と同様の構成を有している。よって、本変形例によっても上記実施形態と同様の結果（効果）が得られる。ただし、本変形例では、リング部材５を支持する支持部２５（第三の支持部）が、カバー２に設けられている。支持部２５は、カバー２の壁部２２，２４に凹部または凸部として構成されることができる。本変形例にかかる構成は、支持部２５を有する点以外は、上記実施形態と同様である。本変形例によれば、一例としては、リング部材５（第二の支持部）がより容易にあるいはより確実に所定の位置に位置されやすい（保持されやすい）。また、一例としては、リング部材５が移動するのが（ずれるのが）抑制されやすい。なお、カバー２には、リング部材４（第一の支持部）に対応した支持部２５が設けられてもよい。
【００３４】
＜第２変形例＞
図６に示される第２変形例は、上記実施形態と同様の構成を有している。よって、本変形例によっても上記実施形態と同様の結果（効果）が得られる。ただし、本変形例では、壁部２１の壁部２２との角度をより鋭角に設定することで、リング部材４（第一の支持部）とリング部材５（第二の支持部）との径方向の位置の差を与えている。本変形例にかかる構成は、壁部２２の角度が異なる点以外は、上記実施形態と同様である。本変形例によっても、一例としては、リング部材５がより確実に所定の位置に位置されやすい（保持されやすい）。
【００３５】
＜第３変形例＞
図７に示される第３変形例は、上記実施形態と同様の構成を有している。よって、本変形例によっても上記実施形態と同様の結果（効果）が得られる。ただし、本変形例では、リング部材４（第一の支持部）の周方向と垂直な断面の形状と、リング部材５（第二の支持部）の周方向と垂直な断面の形状とが相違している。具体的に、本変形例では、リング部材５の周方向と垂直な断面の直径が、リング部材４の周方向と垂直な断面の直径より大きい。また、本変形例では、リング部材５の上記断面でのダイヤフラムスプリング３と接触する部分の曲率半径が、リング部材４の上記断面でのダイヤフラムスプリング３と接触する部分の曲率半径よりも大きい。本変形例にかかる構成は、リング部材４，５の断面形状が互いに異なる点以外は、上記実施形態と同様である。本変形例によっても、リング部材４，５の上記断面形状や上記曲率半径が異なるという比較的簡素な構成によって、上記実施形態と同様の結果（効果）が得られるクラッチカバー組立体が具現化されうる。
【００３６】
＜第４変形例＞
図８に示される第４変形例は、上記実施形態と同様の構成を有している。よって、本変形例によっても上記実施形態と同様の結果（効果）が得られる。ただし、本変形例では、リング部材４（第一の支持部）の周方向と垂直な断面の形状と、リング部材５（第二の支持部）の周方向と垂直な断面の形状とが相違している。具体的に、本変形例では、リング部材５の上記断面が中心軸Ａｘの径方向に長い楕円状であり、リング部材４の上記断面は円形状（真円状）である。また、リング部材５の上記断面の断面形状は、リング部材４の上記断面の断面形状よりも細長い。本変形例にかかる構成は、リング部材４，５の断面形状が互いに異なる点以外は、上記実施形態と同様である。本変形例によっても、リング部材４，５の上記断面形状が異なるという比較的簡素な構成によって、上記実施形態と同様の結果（効果）が得られるクラッチカバー組立体が具現化されうる。
【００３７】
＜第５変形例＞
図９に示される第５変形例は、上記実施形態と同様の構成を有している。よって、本変形例によっても上記実施形態と同様の結果（効果）が得られる。ただし、本変形例では、リング部材５に替えて、壁部２４に突出部２６（第二の支持部）が設けられている。突出部２６は、中心軸Ａｘの周方向に沿った円弧状の突起（壁部）である。また、突出部２６の中心軸Ａｘの周方向と垂直な断面は、半円状である。本変形例にかかる構成は、第二の支持部として突出部２６を有する点以外は、上記実施形態と同様である。本変形例によっても、第二の支持部として突出部２６を有するという比較的簡素な構成によって、上記実施形態と同様の結果（効果）が得られるクラッチカバー組立体が具現化されうる。
【００３８】
＜第６変形例＞
図１０に示される第６変形例は、上記実施形態と同様の構成を有している。よって、本変形例によっても上記実施形態と同様の結果（効果）が得られる。ただし、本変形例では、リング部材４に替えて、壁部２１に突出部２７（第一の支持部）が設けられるとともに、リング部材５に替えて、壁部２４に突出部２６（第二の支持部）が設けられている。突出部２７は、中心軸Ａｘの周方向に沿った環状の突起（壁部）である。突出部２６は、中心軸Ａｘの周方向に沿った円弧状の突起である。突出部２６，２７の中心軸Ａｘの周方向と垂直な断面は、半円状である。本変形例にかかる構成は、第一の支持部として突出部２７を有し、第二の支持部として突出部２６を有する点以外は、上記実施形態と同様である。本変形例によっても、第一の支持部として突出部２７を有し、第二の支持部として突出部２６を有するという比較的簡素な構成によって、上記実施形態と同様の結果（効果）が得られるクラッチカバー組立体が具現化されうる。
【００３９】
以上、本発明の実施形態や変形例を例示したが、上記実施形態や変形例はあくまで一例であって、発明の範囲を限定することは意図していない。これら実施形態や変形例は、その他の様々な形態で実施されることが可能であり、発明の要旨を逸脱しない範囲で、種々の省略、置き換え、組み合わせ、変更を行うことができる。また、各実施形態や変形例の構成や形状は、部分的に入れ替えて実施することも可能である。また、各構成や、形状、表示要素等のスペック（構造や、種類、方向、形状、大きさ、長さ、幅、厚さ、高さ、数、配置、位置、材質等）は、適宜に変更して実施することができる。例えば、第一の支持部と第二の支持部の形状やレイアウトは、種々に変更して実施することができる。
【符号の説明】
【００４０】
１…クラッチカバー組立体、２…カバー（カバー部材）、３…ダイヤフラムスプリング、３１…ベース部、３２…レバー部、４…リング部材（第一の支持部）、５…リング部材（第二の支持部）、１２…第一の回転要素（回転要素）、１３…第二の回転要素（他の回転要素）、２６…突出部（第二の支持部、突起）、２７…突出部（第一の支持部、突起）、Ａｘ…中心軸（回転軸）。
【図１】
2014163507.tif 000003
【図２】
2014163507.tif 000004
【図３】
2014163507.tif 000005
【図４】
2014163507.tif 000006
【図５】
2014163507.tif 000007
【図６】
2014163507.tif 000008
【図７】
2014163507.tif 000009
【図８】
2014163507.tif 000010
【図９】
2014163507.tif 000011
【図１０】
2014163507.tif 000012